(57)【要約】【課題】コネクタに接続する電線を屈曲して横出しする横出しコネクタ用の保持治具において、横出し方向と反対側の電線が急激に屈曲せずに所要寸法ストレートに引き出されるようにする。【解決手段】コネクタハウジングの収容部を囲む周壁に、コネクタ挿入口と、該コネクタ挿入口と直交方向の横出し電線引出開口を設け、かつ、該横出し電線引出開口と反対側で且つ前記収容部に収容するコネクタハウジングの端子挿入口に近接する位置に規制突起を前記周壁の内面から突設し、前記収容部に収容するコネクタハウジングに接続した電線のうち、横出し方向と反対側の電線は前記規制突起により屈曲が阻止されてストレートに引き出され、該規制突起の先端を越えた位置で屈曲可とし、前記規制突起の先端面に沿って電線を前記横出し電線引出開口へと屈曲して引き出す構成としている。【選択図】図１
2013149535.tif 000002
【特許請求の範囲】
【請求項１】
コネクタハウジングの収容部を囲む周壁に、コネクタ挿入口と、該コネクタ挿入口と直交方向の横出し電線引出開口を設け、かつ、該横出し電線引出開口と反対側で且つ前記収容部に収容するコネクタハウジングの端子挿入口に近接する位置に規制突起を前記周壁の内面から突設し、
前記収容部に収容するコネクタハウジングに接続した電線のうち、横出し方向と反対側の電線は前記規制突起により屈曲が阻止されてストレートに引き出され、該規制突起の先端を越えた位置で屈曲可とし、前記規制突起の先端面に沿って電線を前記横出し電線引出開口へと屈曲して引き出す構成としていることを特徴とする横出しコネクタの保持治具。
【請求項２】
前記コネクタハウジングの収容部を囲む周壁として、底壁と、該底壁の両端から対向して突設する左右側壁と、背面壁を備え、前面を前記コネクタ挿入口とし、右側壁の上方を前記横出し電線引出開口とし、左側壁との間にストレート引出空間をあけて前記規制突起を前記背面壁より突設し、該規制突起は上下方向に長い矩形棒状とし、該規制突起の前記先端に相当する上面と前記右側壁の上面の高さは同等としている請求項１に記載の横出しコネクタの保持治具。
【請求項３】
前記電線の横出し部分の高さを規制する押さえ壁を前記収容部を囲む周壁の一部から突設している請求項１または請求項２に記載の横出しコネクタの保持治具。
【発明の詳細な説明】
【技術分野】
【０００１】
本発明は横出しコネクタの保持治具に関し、詳しくは、コネクタに接続する電線群を一方向に屈曲して引き出す横出し工程で用い、引出方向と反対側の電線の急激な曲げを抑制できるようにした治具に関するものである。
【背景技術】
【０００２】
自動車に配索するワイヤハーネスに接続するコネクタとして、コネクタから電線を一方向に屈曲させて引き出す場合が多く、該コネクタは横出しコネクタと称されている。該横出しコネクタは、ワイヤハーネスの配索方向によって横出しする場合と、コネクタから電線を真っすぐに引き出すと外部干渉材と干渉するために横出しする場合とがある。この種の横出しコネクタと接続する電線は、自動車に配索する前に予めコネクタと接続する電線を横出しして方向に癖づけして結束している。
【０００３】
前記横出しするコネクタにおいて、図１１（Ａ）に示すように、コネクタ２１０から引き出されて横出しされる電線Ｗはコネクタ２１０の端子挿入口から急減に曲げられ、コネクタ２１０の端子挿入口に接する部分をストレート状に確保できなくなる場合がある。浸水領域にコネクタ２１０を配置する場合、コネクタ２１０への挿入位置で電線Ｗに防水ゴム栓２２０が取り付けられる。その場合、電線Ｗが急激に曲げられると、図１１（Ｂ）に示すように、防水ゴム栓２２０に負担がかかり変形する。その結果、防水ゴム栓２２０と電線Ｗとの間に隙間が発生し、コネクタ２１０内に浸水が生じる恐れがある。
前記した問題点より、コネクタへの電線挿入部分に電線のストレート部を確保して電線が急激に曲げられるのを抑制することが求められている。
【０００４】
前記問題に対して、本出願人は、従来、特開平９−１８０８５３号公報に開示した横出しコネクタ形成用スペーサを提供している。図１２（Ａ）に示すように、ワイヤハーネス組立用作業台に立設する箱治具１００のコネクタ搭載部１０１にコネクタ２１０をセットした後に、図１２（Ｂ）に示すようにスペーサ１１０を取り付け、スペーサ１１０の櫛歯状とした上壁部１１１をコネクタ２１０の上面に重ね、コネクタ２１０に接続している電線Ｗをスペーサ１１０の切込１１２を通して引き出した後に横方向へと屈曲している。その後、スペーサ１１０をコネクタ搭載部１０１から図中前方へ引き出して取り外し、図１２（Ｃ）に示すように、電線Ｗを横出ししたコネクタ２１０としている。該横出しコネクタは、スペーサ１１０をコネクタ２１０に重ねることで、スペーサ１１０の上壁部１１１の厚さ寸法だけコネクタ２１０の電線を端子挿入口からストレートに保持することができる。
【先行技術文献】
【特許文献】
【０００５】
【特許文献１】特開平９−１８０８５３号公報
【発明の概要】
【発明が解決しようとする課題】
【０００６】
前記スペーサ１１０を用いる場合、治具のコネクタ搭載部にコネクタ２１０をセットした後、スペーサ１１０の各切込１１２に全電線Ｗを通しながらコネクタ２１０の上面にスペーサ１１０を重ねて取り付ける必要がある。このコネクタに接続した全電線をスペーサ１１０の切欠１１２に通す作業に時間がかかる問題がある。かつ、横出し方向の内周側の電線も反対側の外周側と同様にスペーサ１１０の厚さ寸法だけ直線に保持されるため、横出し電線が膨らみやすい。よって、図１１（Ａ）に示すように、外部干渉材Ｚと干渉する恐れがある。さらに、コネクタ保持治具と別体のスペーサ１１０を必要とするため、治具費が高くなる問題がある。
【０００７】
本発明は前記問題に鑑みてなされたもので、コネクタから引き出される電線のうち、外周側の電線が急激に横曲げされるのを抑制してストレート部を確保できるようにすると共に、内周側の電線が膨らむのを抑制でき、かつ、別体のスペーサを必要としない横出しコネクタの保持治具を提供することを課題としている。
【課題を解決するための手段】
【０００８】
前記課題を解決するため、本発明は、コネクタハウジングの収容部を囲む周壁に、コネクタ挿入口と、該コネクタ挿入口と直交方向の横出し電線引出開口を設け、かつ、該横出し電線引出開口と反対側で且つ前記収容部に収容するコネクタハウジングの端子挿入口に近接する位置に規制突起を前記周壁の内面から突設し、
前記収容部に収容するコネクタハウジングに接続した電線のうち、横出し方向と反対側の電線は前記規制突起により屈曲が阻止されてストレートに引き出され、該規制突起の先端を越えた位置で屈曲可とし、前記規制突起の先端面に沿って電線を前記横出し電線引出開口へと屈曲して引き出す構成としていることを特徴とする横出しコネクタの保持治具を提供している。
【０００９】
前記のように、保持治具に規制突起を一体に設けるだけで、横出し方向と反対側の電線がコネクタと接続する根元側から傾斜するのを防止して、所要寸法分をストレートに保持できる。よって、電線に取り付けた防水ゴム栓と電線との間に隙間ができ、該隙間からコネクタ内部への浸水が発生するのを防止できる。かつ、前記特許文献１のように治具と別体のスペーサを必要としないため、治具コストを低減できると共に、スペーサの取り付け及び取り外しの作業も不要になる。
【００１０】
前記コネクタハウジングの収容部を囲む周壁として、底壁と、該底壁の両端から対向して突設する左右側壁と、背面壁を備え、前面を前記コネクタ挿入口とし、右側壁の上方を前記横出し電線引出開口とし、左側壁との間にストレート引出空間をあけて前記規制突起を前記背面壁より突設し、該規制突起は上下方向に長い矩形棒状とし、該規制突起の前記先端に相当する上面と前記右側壁の上面の高さは同等としている。
【００１１】
前記コネクタ挿入口からコネクタハウジングを電線接続側面を上面として収容部に挿入し、該コネクタハウジングに接続している電線のうち、横出し方向と反対側の電線を前記規制突起と左側壁との間に設けたストレート引出空間を通して引き出した後に該規制突起の上面に沿うように屈曲して前記横出し電線引出開口へと引き出し、他の電線は前記右側壁の上面に沿わせて横出しし、電線の横出し部分の高さを揃えて横出しできるようにしている。
【００１２】
前記電線の横出し部分の高さを規制する押さえ壁を前記収容部を囲む周壁の一部から突設していることが好ましい。
即ち、前記背面壁の上端より前記押さえ壁を突設して、前記収容部の上部を覆い、横出しする電線群を前記押さえ壁の下面に沿って横出しすることで、横出し電線が高さ方向に膨らむ事を防止し、横出し電線と外部干渉材との干渉を防止できるものとしている。
【００１３】
前記押さえ壁はコネクタハウジングの収容部の電線引き出し側に位置するため、該押さえ壁を背面壁等とヒンジ結合し、コネクタの挿入時に邪魔にならない位置に回転して退避させ、電線を屈曲して横出しする時に押さえ壁を収容部を覆う元の位置に戻す構成としてもよい。
【発明の効果】
【００１４】
前記のように、本発明に係わる横出しコネクタ用の保持治具を用いると、横出しコネクタから一方向へ横出しされる電線群のうち、外周側の電線は引き出し方向に急激に曲げられやすいが、治具に一体に設けた規制突起で電線のストレート部を確保でき、急激曲げは抑制される。よって、該電線に防水ゴム栓を取り付ける場合、防水ゴム栓に変形を発生させず、コネクタへの浸水を確実に防止することができる。
かつ、特許文献１のように保持治具と別体のスペーサを必要とせず、保持治具のみでよいため、コスト低減をはかれると共に、スペーサを組みつける作業手数も省略することができる。
【図面の簡単な説明】
【００１５】
【図１】本発明の第１実施形態の横出しコネクタ用の保持治具を示す斜視図である。
【図２】前記保持治具の断面図である。
【図３】前記保持治具にコネクタを収容して、コネクタに接続した電線を横出ししている状態を示す断面図である。
【図４】前記保持治具を用いて形成された横出しコネクタの斜視図である。
【図５】（Ａ）（Ｂ）は第１実施形態の第１変形例を示す図面である。
【図６】第１実施形態の第２変形例を示す斜視図である。
【図７】第２実施形態の横出しコネクタ用の保持治具を示す斜視図である。
【図８】第２実施形態の保持治具にコネクタを収容して、コネクタに接続した電線を横出ししている状態を示す断面図である。
【図９】（Ａ）（Ｂ）は第２実施形態の変形例を示す図面である。
【図１０】（Ａ）（Ｂ）（Ｃ）は規制突起の変形例を示す図面である。
【図１１】（Ａ）（Ｂ）は従来例を示す図面である。
【図１２】（Ａ）〜（Ｃ）は他の従来例を示す図面である。
【発明を実施するための形態】
【００１６】
以下、本発明の横出しコネクタの保持治具の実施形態について、図面を参照して説明する。
図１乃至図４に第１実施形態を示す。
保持治具１は、ワイヤハーネス組立作業台１９に立設する支軸２の上端に箱状のコネクタ収容部５を設けている。該コネクタ収容部５は前面と上面は開口とし、底壁７、右側壁９、左側壁８、背面壁１０からなる周壁で、横出しコネクタ２０（以下、コネクタ２０と略称する）の収容部６を囲んでいる。前面開口はコネクタ挿入口３とし、上面開口はコネクタ２０に接続する電線Ｗの引き出し側となり、前記右側壁９の上方が横出し電線引出開口４となる。
【００１７】
前記コネクタ挿入口３と対向する背面壁１０の上端から収容部６の上部に規制突起１１を突設している。該規制突起１１は棒状で、断面形状は上下方向に長いが、左右幅方向は１本の電線Ｗの外径と略同等の短い寸法としている。
【００１８】
保持治具１に挿入するコネクタ２０は、図３に示すように、端子挿入口２３を上向きとし、図中右方向（矢印Ｘ方向）に横出しするものである。保持治具１の左側壁８は電線横出し方向と反対側にあり、右方向に屈曲される電線の外周側に位置する。右側壁９は横出し方向の内周側に位置する。
【００１９】
前記外周側となる左側壁８の上面８ｕおよび背面壁１０の上面１０ｕは同一高さであり、該高さ寸法Ｈ１はコネクタハウジング２１の端子挿入方向の寸法Ｈ２より僅かに大きくしている。背面壁１０の上面１０ｕから前方へ突設する前記規制突起１１の下面１１ｄは上面１０ｕと同じ高さであるため、規制突起１１の下面１１ｄは収容部６に収容するコネクタハウジング２１の端子挿入口２３が位置する上面２４より僅かな隙間Ｓ１をあけて上方に位置するものとしている。前記隙間Ｓ１の寸法は２ｍｍ〜８ｍｍとしている。
【００２０】
また、規制突起１１は左側壁８の内面８ａから空間Ｓ２をあけて位置させている。該空間Ｓ２はストレート引き出し空間となり、該空間Ｓ２の幅はコネクタ２０の最外周側の電線Ｗ１と、該電線Ｗ１の右側に隣接する電線Ｗ２を通すことができる幅としている。なお、最外周の１本の電線Ｗ１のみを通す空間としてもよい。また、規制突起１１の幅ｔを電線Ｗの外径と略同等としている。さらに、規制突起１１の高さＨ３は３ｍｍ〜８ｍｍ程度としている。  
【００２１】
電線の横出し方向の右側壁９は左側壁８および背面壁１０の高さより規制突起１１の高さＨ３に相当する寸法だけ高くし、右側壁９の上面９ｕと規制突起１１の上面１１ｕの高さを同等としている。かつ、右側壁９は左側壁８より突出した上部に内側突出部９ｃを設けた倒Ｌ形状とし、内側突出部９ｃの下面９ｄは上面８ｕ、１０ｕと同一高さとしている。
【００２２】
コネクタ２０は、自動車の浸水領域であるエンジンルーム内に配索されて機器（図示せず）に接続するワイヤハーネス３０を構成する電線Ｗの端末に接続されるものであり、防水仕様としている。具体的には、前記電線Ｗの端末に接続した端子を、コネクタ２０のコネクタハウジング２１の端子挿入口２３から各端子収容室２２に挿入係止し、端子挿入口２３に電線Ｗに外嵌した防水ゴム栓３３を密嵌して貫通し、各端子挿入口２３から防水ゴム栓３３を外方へ突出している。
【００２３】
前記のように、ワイヤハーネス３０の電線Ｗの端末に予めコネクタ２０を接続して仮結束しており、この仮結束したワイヤハーネス３０をワイヤハーネス組立作業台１９上で布線し、該ワイヤハーネス組立作業台１９に立設した横出しコネクタ用の保持治具１に挿入し、コネクタ２０の端子挿入口２３に端子を挿入して接続している電線Ｗに横出し方向Ｘへの曲げ癖をつけ、該状態でテープＴで結束するようにしている。
【００２４】
詳細には、ワイヤハーネス３０に接続したコネクタ２０を保持治具１のコネクタ収容部５のコネクタ挿入口３から収容部６へ押し込んで挿入する。挿入時に、コネクタハウジング２１の電線Ｗと接続している端子挿入口２３を上面とし、反対側の下面を底壁７の上面に摺接させて挿入していく。コネクタハウジング２１の上面２４は規制突起１１の下面１１ｄ、右側壁９の内側突出部９ｃの下面９ｄと僅かな空間Ｓ１をあけて挿入でき、収容部６内にコネクタハウジング２１を位置決めして挿入する。
【００２５】
電線Ｗと接続したコネクタハウジング２１の挿入時、端子挿入口２３から引き出されている電線Ｗは上面開口側へ引き出しながら挿入する。其の際、左側壁８側に位置する電線Ｗ１、Ｗ２を左側壁８と規制突起１１との隙間Ｓ２から引き出し、残りの電線Ｗ３は規制突起１１と右側壁９との間Ｓ４から上方へ引き出す。
【００２６】
前記隙間Ｓ２から上向きに引き出した電線Ｗ１とＷ２は規制突起１１により屈曲できずストレートに引き出される。規制突起１１の先端を越えた位置で、その上面１１ｕに沿わせて右方向へ屈曲させ横出し電線引出開口４側へと引き出す。残りの電線Ｗ３は右側壁９の上面９ｕに沿わせて右方向へ屈曲させて横出しする。規制突起１１の上面１１ｕと内周側の右側壁９の上面９ｕとは同一高さとしているため、屈曲方向に対して外周側の電線Ｗ１、Ｗ２、内周側と中間位置の電線Ｗ３は高さを揃えた状態で横出し方向に屈曲させることができる。このように、電線Ｗを屈曲して横出しし、曲げ癖がつけられた状態で、図４に示すように電線群にテープＴを巻き付けて結束する。
【００２７】
コネクタ２０に接続した電線Ｗを横出しした後、ワイヤハーネス３０と共に保持治具１からコネクタ２０を取り出す。その際、コネクタ２０を保持治具１のコネクタ挿入口３から前方へと引き出す。
【００２８】
前記のように、保持治具１に規制突起１１を設けていることにより、コネクタ２０に接続した電線Ｗを横出し屈曲時に、外周側の電線Ｗ１、Ｗ２には横出し方向からの引張負荷がかかり、コネクタ２０の端子挿入口２３から横出し方向に傾斜しやすくなるが、保持治具１に設けた規制突起１１で電線Ｗ１、Ｗ２は規制突起１１の高さ寸法分は端子挿入口２３から上向きにストレートに引き出される。このように、規制突起１１で電線Ｗが傾斜するのが防止でき、よって、電線Ｗ１、Ｗ２に装着した防水ゴム栓３３と電線との間に浸水が生じる隙間の発生を無くし、防水コネクタの防水性能を高めることができる。
【００２９】
かつ、コネクタ２０から引き出す電線Ｗの横出し方向への屈曲位置を規制突起１１の上面１１ｕと右側壁９の上面９ｕで位置決めしているため、横出し電線の端子挿入口２３からの高さを設定値に規制できる。よって、コネクタ２０を機器に接続した時に、外部干渉材に横出し電線Ｗを干渉させないようにできる。
【００３０】
図５（Ａ）（Ｂ）に第１実施形態の第１変形例を示す。
第１変形例では、規制突起１１と左側壁８と間の隙間Ｓ２は最外周に位置する１本の電線Ｗ１のみを通す位置に設けている。
他の構成および作用効果は第１実施形態と同一であるため同一符号を付して説明を省略する。
【００３１】
図６に第１実施形態の第２変形例を示す。
前記第１実施形態では、コネクタ２０を保持治具１の前面開口から収容部６へと前方から後方へ水平方向で挿入し、電線を屈曲して横出しの癖をつけた後に前方へとひきだしている。
これに対して第２変形例では、保持治具４０を９０度回転し、上面開口をコネクタ挿入口４１とし、コネクタ挿入口４１と対向する底壁４２の右端面４２ａから規制突起４５を突設している。該規制突起４５と後側壁４３との隙間Ｓ２が外周に位置する電線Ｗ１、Ｗ２の引き出し空間となり、規制突起４５と前側壁４４との空間が他の電線の引き出し空間となる。他の構成は第１実施形態と同様である。
【００３２】
前記第２変形例ではコネクタ２０を保持治具４０の上面に開口したコネクタ挿入口４１から下向きに挿入でき、作業性を高めることができる。
なお、第１実施形態の保持治具１の支軸２に対してコネクタ収容部５を９０度回転して固定できる構成としてもよい。
【００３３】
図７および図８に第２実施形態を示す。
第２実施形態の保持治具５０は、コネクタ２０から屈曲して横出しした電線Ｗの上面を規制する高さ規制用の押さえ壁５２を設けている。該押さえ壁５２は背面壁１０の高さを第１実施形態よりも増加し、該背面壁１０の上面１０ｕから収容部６の上方を覆うように突設している。
押さえ壁５２と規制突起１１の上面１１ｕおよび右側壁９の上面９ｕとの間に屈曲して横出しする電線Ｗを挿通する空間Ｓ５を設けている。該空間Ｓ５に電線Ｗを通し、押さえ壁５２の下面５２ｄより電線Ｗが上方へ膨らむことを防止している。他の構成は第１実施形態と同様で、同一符号を付して説明を省略する。
【００３４】
前記のように、保持治具５０に設けた高さ規制用の押さえ壁５２を設けるだけで、屈曲させて横出しする電線Ｗの高さＨ６を所定値に保持できる。その結果、従来必要とされた横出し電線のコネクタからの高さを検査する必要がなくなり、保持治具５０を検査治具を兼ねた構成とすることができる。
【００３５】
図９に第２実施形態の変形例を示す。
変形例では、高さ規制用の押さえ壁５２を背面壁１０に対して開閉自在にヒンジ５５を介して連続している。コネクタ２０を収容部６内に挿入するときは、押さえ壁５２を上方へ９０度回転させて開き、収容部６を覆う位置から退避させる。これにより、コネクタ２０は収容部６に容易に挿入できる。
コネクタ２０を収容部６に挿入した後は、押さえ壁５２を回転させて収容部６の上部を覆う位置とし、屈曲して横出しする電線Ｗの高さを規制している。
【００３６】
本発明は前記実施形態に限定されず、規制突起を図１０（Ａ）〜（Ｃ）に示す構成としてもよい。
図１０（Ａ）に示すように、多極の大型コネクタ用の場合、複数の規制突起１１を間隔をあけて設けてもよい。
また、図１０（Ｂ）に示すように、屈曲する電線と接する規制突起１１の角部にアール１１ｒを設けることが好ましい。
さらに、図１０（Ｃ）に示すように、規制突起１１の上端を横出し方向へ屈曲する倒Ｊ形状としてもよい。
【符号の説明】
【００３７】
１  保持治具
２  支軸
３  コネクタ挿入口
４  横出し電線引出開口
５  コネクタ収容部
６  収容部
７  底壁
８  左側壁
９  右側壁
１０  背面壁
１１  規制突起
２０  コネクタ
２１  コネクタハウジング
２３  端子挿入口
３０  ワイヤハーネス
３３  防水ゴム栓  
Ｗ  電線
【図１】
2013149535.tif 000003
【図２】
2013149535.tif 000004
【図３】
2013149535.tif 000005
【図４】
2013149535.tif 000006
【図５】
2013149535.tif 000007
【図６】
2013149535.tif 000008
【図７】
2013149535.tif 000009
【図８】
2013149535.tif 000010
【図９】
2013149535.tif 000011
【図１０】
2013149535.tif 000012
【図１１】
2013149535.tif 000013
【図１２】
2013149535.tif 000014